(57)【特許請求の範囲】
【請求項１】
つぎの事項（１）〜（５）により特定される発明。
（１）双方向に励磁するスイッチングトランスで、多数の巻線セグメントシートを積層した巻線積層体とコアとから構成されるスイッチング電源用のシートトランスである。
（２）巻線セグメントシートは半ターンから数ターンの巻線パターンが印刷形成または打ち抜き形成された配線板である。これら巻線セグメントシートが各巻線パターンの中心を揃えて積層されているとともに、各巻線パターンの端部同士が適宜に接続されて１次巻線と２次巻線を含んだ巻線積層体となっている。この巻線積層体の巻線中心部には貫通穴があいており、その穴にコアの巻軸部が貫通している。
（３）巻線積層体の構成は、上から順に第１コイル部・第２コイル部・第３コイル部・第４コイル部・第５コイル部・第６コイル部の少なくとも６つのグループに区分される部分を持っている。１つのグループに属する複数枚の巻線セグメントシートの各巻線パターンは一連のコイルを構成するように相互接続されており、グループ内の最上部のシートに上方コイル端があり、最下部のシートに下方コイル端がある。
（４）第１コイル部の上方コイル端が端子Ａに接続され、第１コイル部の下方コイル端と第５コイル部の下方コイル端とが接続され、第５コイル部の上方コイル端と第２コイル部の下方コイル端とが接続され、第２コイル部の上方コイル端と第６コイル部の上方コイル端とが接続され、第６コイル部の下方コイル端が端子Ｂに接続されている。第１コイル部と第６コイル部の巻線方向は同じであり、第２コイル部と第５コイル部の巻線方向は前記と反対になっている。
（５）第３コイル部の下方コイル端が端子Ｄに接続され、第３コイル部の上方コイル端と第４コイル部の下方コイル端とが接続され、第４コイル部の上方コイル端が端子Ｅに接続されている。第３コイル部と第４コイル部の巻線方向は同じである。
【請求項２】
請求項１に記載のシートトランスにおいて、特定事項（４）をつぎの特定事項（41）に置換したもの。
（41）第１コイル部の上方コイル端が端子Ａに接続され、第１コイル部の下方コイル端と第５コイル部の上方コイル端とが接続され、第５コイル部の下方コイル端と第２コイル部の上方コイル端とが接続され、第２コイル部の下方コイル端と第６コイル部の上方コイル端とが接続され、第６コイル部の下方コイル端が端子Ｂに接続されている。第１コイル部・第２コイル部・第５コイル部・第６コイル部の巻線方向は同じである。
【請求項３】
請求項１または請求項２に記載のシートトランスにおいて、特定事項（５）をつぎの特定事項（51）に置換したもの。
（51）第３コイル部の上方コイル端が端子Ｄに接続され、第３コイル部の下方コイル端と第４コイル部の上方コイル端とが接続され、第４コイル部の下方コイル端が端子Ｅに接続されている。第３コイル部と第４コイル部の巻線方向は同じであり、両者は実質的に区分のない一連のコイルを構成している。
【請求項４】
請求項１〜３のいずれかに記載のシートトランスにおいて、端子Ａが第１コイル部の下方コイル端に接続され、これの上方コイル端が他のコイル部に接続されているもの。
【請求項５】
請求項１〜４のいずれかに記載のシートトランスにおいて、端子Ｂが第６コイル部の上方コイル端に接続され、これの下方コイル端が他のコイル部に接続されているもの。
【請求項６】
請求項１または請求項３に記載のシートトランスにおいて、特定事項（４）をつぎの特定事項（42）に置換したもの。
（42）第１コイル部の上方コイル端が端子Ａに接続され、第１コイル部の下方コイル端と第２コイル部の上方コイル端とが接続され、第２コイル部の下方コイル端と第５コイル部の上方コイル端とが接続され、第５コイル部の下方コイル端と第６コイル部の上方コイル端とが接続され、第６コイル部の下方コイル端が端子Ｂに接続されている。第１コイル部・第２コイル部・第５コイル部・第６コイル部の巻線方向は同じである。第１コイル部と第２コイル部は実質的に区分のない一連のコイルを構成している。第５コイル部と第６コイル部は実質的に区分のない一連のコイルを構成している。
【請求項７】
請求項１〜６のいずれかに記載のシートトランスにおいて、第２コイル部と第５コイル部との接続部分が中間タップ端子Ｃに接続されているもの。
【請求項８】
請求項１〜７のいずれかに記載のシートトランスにおいて、第３コイル部と第４コイル部の接続部分が中間タップ端子Ｆに接続されているもの。
【発明の詳細な説明】
【０００１】
【発明の属する技術分野】
この発明はスイッチング電源用のトランスに関し、とくに、印刷配線板からなる巻線セグメントシートを積層することで１次巻線および２次巻線を形成する構造のシートトランスの改良に関する。
【０００２】
【従来の技術】
＝＝＝スイッチング電源の典型例＝＝＝
トランスを用いる方式のスイッチング電源（ＤＣ−ＤＣコンバータ）の典型的な４つの回路例を図１に示している。
図１（ａ）の回路方式においては、トランスＴの１次巻線Ｌ１と２次巻線Ｌ２の両方とも中間タップ端子を有する。１次側スイッチング回路はプッシュプル型と呼ばれている。入力電源Ｖinの一端が１次巻線Ｌ１の中間タップ端子Ｃに印加され、入力電源Ｖinの１次巻線Ｌ１の他端が１次巻線Ｌ１の端子ＡとＢにそれぞれスイッチングトランジスタＱ１とＱ２を介して接続されている。トランジスタＱ１とＱ２は相補的にオン・オフ駆動される。２次側整流回路は２つのダイオードＤ１とＤ２を用いたセンタータップ式の全波整流回路である。これの回路動作はよく知られているので説明を省略する。
図１（ｂ）の回路方式では、前記（ａ）における２次側整流回路が４つのダイオードＤ１〜Ｄ４を用いたブリッジ整流回路になっている。ここでは２次巻線Ｌ２の中間タップ端子Ｆは不要である。
図１（ｃ）の回路方式では、前記（ａ）における１次側スイッチング回路が４つのスイッチングトランスＱ１〜Ｑ４を用いたフルブリッジ回路になっている。ここでは１次巻線Ｌ１の中間タップ端子Ｃは不要である。
図１（ｄ）の回路方式では、前記（ｃ）における２次側スイッチング回路が４つのダイオードＤ１〜Ｄ４を用いたブリッジ整流回路になっている。ここでは２次巻線Ｌ２の中間タップ端子Ｆも不要である。
【０００３】
＝＝＝シートトランスの基本構造＝＝＝
シートトランスあるいはプレーナートランスと称されるトランスの基本的な構造を図２と図３に示している。この種のシートトランスは、多数の巻線セグメントシート１を積層した巻線積層体２とコア３とから構成される。巻線セグメントシート１は半ターンから数ターンの巻線パターン４が形成された印刷配線板である（あるいは打ち抜き金属薄板で巻線パターンを形成した配線板である。）。これら巻線セグメントシート１が各巻線パターン４の中心を揃えて積層されているとともに、各巻線パターン４の端部同士がスルーホールなどの手法で適宜に接続されて１次巻線と２次巻線を含んだ巻線積層体２となっている。この巻線積層体２の巻線中心部には貫通穴５があいており、その穴５にコア３の巻軸部６が貫通している。
【０００４】
＝＝＝従来の巻線構造＝＝＝
図１に示したようなスイッチング電源のトランスＴとして図２・図３に示した構造のシートトランスを適用したものが従来から知られている。従来のスイッチング電源用のシートトランスの場合、巻線積層体２における１次巻線と２次巻線の構成の仕方は図４に示すようになっていた。
【０００５】
図４ではつぎの事項を図解している。図２・図３に示した構造のシートトランスにおいて、巻線積層体２は１次巻線積層体２ａと２次巻線積層体２ｂの２つのグループに区分されている。両グループにはそれぞれ複数枚の巻線セグメントシート１が含まれ、１つのグループに属する複数枚の巻線セグメントシート１の各巻線パターンが一連のコイルを構成するように相互接続されている。
そして、１次巻線積層体２ａの最上部の巻線セグメントシート１にあるコイル端が１次巻線Ｌ１の端子Ａに接続され、１次巻線積層体２ａの最下部のシート１にあるコイル端が１次巻線Ｌ１の端子Ｂに接続され、また１次巻線積層体２ａの中間のシート１の巻線パターン４が必要に応じて１次巻線Ｌ１の中間タップ端子Ｃに接続されている。
同様に、２次巻線積層体２ｂの最上部シート１にあるコイル端が２次巻線Ｌ２の端子Ｄに接続され、２次巻線積層体２ｂの最下部シート１にあるコイル端が２次巻線Ｌ２の端子Ｅに接続され、２次巻線積層体２ｂの中間シート１の巻線パターン４が必要に応じて２次巻線Ｌ２の中間タップ端子Ｆに接続されている。
【０００６】
【発明が解決しようとする課題】
図２・図３・図４に示した従来のシートトランスを用いた図１のようなスイッチング電源においては、つぎに説明する２つの問題があった。
第１の問題は漏れ磁束が大きいことである。典型的な例として図１（ｄ）の回路について説明する。この回路方式では、１次巻線Ｌ１の全体に入力電流が方向を反転しながら流れ、２次巻線Ｌ２の全体に出力電流が方向を反転しながら流れ、入力電流によりコア３に生じる磁束が出力電流により生じる磁束によって相殺されるという関係になっている。ここで１次巻線Ｌ１の全体が図４の１次巻線積層体２ａであり、この積層体２ａの厚み領域において１次電流による磁界の磁位変化が集中している。このことを図５（ａ）に模式的に示している。つまり、１次巻線積層体２ａの穴５を貫通しているコア３に局所的に作用する磁位ピーク値がきわめて大きく、そのため漏れ磁束が大きくなってしまう。なお、この問題点は後述する本発明の作用効果と対比することでより明瞭になるであろう。
図１（ａ）の回路方式の場合は１次巻線Ｌ１の中間タップ端子Ｃを使用し、１次巻線Ｌ１の半分ずつに交互に入力電流が流れる。そのため、図４における１次巻線積層体２ａの半分の領域において入力電流による磁界の磁位変化が集中することになり、やはりコア５の局所に大きな磁位ピーク値が作用し、漏れ磁束が大きくなってしまう。このことを図５（ｂ）に模式的に示している。
【０００７】
もう１つの問題は１次巻線Ｌ１と２次巻線Ｌ２との間の浮遊容量を伝達する高周波ノイズが大きいことである。図４に示したように、１次巻線積層体２ａの下に２次巻線積層体２ｂが配設されていると、１次巻線積層体２ａの最下部の巻線セグメントシート１と２次巻線積層体２ｂの最上部の巻線セグメントシート１と間に相当に大きな静電容量を生じてしまう。対向している両シートの巻線パターン４の面積が大きいし、両シートの間隔が小さいし、両シートの基材の誘電率が大きいので、両シート間の静電容量が大きくなるのは避けがたい。
前記の大きな浮遊容量は、図１の４つの回路方式においては、１次巻線Ｌ１の端子Ｂに近い部分と２次巻線Ｌ２の端子Ｄに近い部分との間に生じている。各回路方式から明らかなように、端子Ｂと端子Ｄとの間にはスイッチング電源としての動作に伴ってきわめて大きな電圧変動が生じる。大きな浮遊容量を挟んで大きな電圧変動を生じるので、１次側の高周波ノイズが２次側に高レベルで伝達してしまう。なお、この問題点についても後述する本発明の作用効果と対比することでより明瞭になるであろう。
【０００８】
この発明は前述した従来の問題点に鑑みなされたもので、その目的は、スイッチング電源を構成したときに漏れ磁束を低減できるとともにノイズ性能を向上できるようにしたシートトランスを提供することにある。
【０００９】
【課題を解決するための手段】
＝＝＝請求項１の発明＝＝＝
つぎの事項（１）〜（５）により特定される発明である。
（１）双方向に励磁するスイッチングトランスで、多数の巻線セグメントシートを積層した巻線積層体とコアとから構成されるスイッチング電源用のシートトランスである。
【００１０】
（２）巻線セグメントシートは半ターンから数ターンの巻線パターンが印刷形成または打ち抜き形成された配線板である。これら巻線セグメントシートが各巻線パターンの中心を揃えて積層されているとともに、各巻線パターンの端部同士が適宜に接続されて１次巻線と２次巻線を含んだ巻線積層体となっている。この巻線積層体の巻線中心部には貫通穴があいており、その穴にコアの巻軸部が貫通している。
【００１１】
（３）巻線積層体の構成は、上から順に第１コイル部・第２コイル部・第３コイル部・第４コイル部・第５コイル部・第６コイル部の少なくとも６つのグループに区分される部分を持っている。１つのグループに属する複数枚の巻線セグメントシートの各巻線パターンは一連のコイルを構成するように相互接続されており、グループ内の最上部のシートに上方コイル端があり、最下部のシートに下方コイル端がある。
【００１２】
（４）第１コイル部の上方コイル端が端子Ａに接続され、第１コイル部の下方コイル端と第５コイル部の下方コイル端とが接続され、第５コイル部の上方コイル端と第２コイル部の下方コイル端とが接続され、第２コイル部の上方コイル端と第６コイル部の上方コイル端とが接続され、第６コイル部の下方コイル端が端子Ｂに接続されている。第１コイル部と第６コイル部の巻線方向は同じであり、第２コイル部と第５コイル部の巻線方向は前記と反対になっている。
【００１３】
（５）第３コイル部の下方コイル端が端子Ｄに接続され、第３コイル部の上方コイル端と第４コイル部の下方コイル端とが接続され、第４コイル部の上方コイル端が端子Ｅに接続されている。第３コイル部と第４コイル部の巻線方向は同じである。
【００１４】
＝＝＝請求項２の発明＝＝＝
請求項１に記載のシートトランスにおいて、特定事項（４）をつぎの特定事項（41）に置換したもの。
（41）第１コイル部の上方コイル端が端子Ａに接続され、第１コイル部の下方コイル端と第５コイル部の上方コイル端とが接続され、第５コイル部の下方コイル端と第２コイル部の上方コイル端とが接続され、第２コイル部の下方コイル端と第６コイル部の上方コイル端とが接続され、第６コイル部の下方コイル端が端子Ｂに接続されている。第１コイル部・第２コイル部・第５コイル部・第６コイル部の巻線方向は同じである。
【００１５】
＝＝＝請求項３の発明＝＝＝
請求項１または請求項２に記載のシートトランスにおいて、特定事項（５）をつぎの特定事項（51）に置換したもの。
（51）第３コイル部の上方コイル端が端子Ｄに接続され、第３コイル部の下方コイル端と第４コイル部の上方コイル端とが接続され、第４コイル部の下方コイル端が端子Ｅに接続されている。第３コイル部と第４コイル部の巻線方向は同じであり、両者は実質的に区分のない一連のコイルを構成している。
【００１６】
＝＝＝請求項４の発明＝＝＝
請求項１〜３のいずれかに記載のシートトランスにおいて、端子Ａが第１コイル部の下方コイル端に接続され、これの上方コイル端が他のコイル部に接続されているもの。
【００１７】
＝＝＝請求項５の発明＝＝＝
請求項１〜４のいずれかに記載のシートトランスにおいて、端子Ｂが第６コイル部の上方コイル端に接続され、これの下方コイル端が他のコイル部に接続されているもの。
【００１８】
＝＝＝請求項６の発明＝＝＝
請求項１または請求項３に記載のシートトランスにおいて、特定事項（４）をつぎの特定事項（42）に置換したもの。
（42）第１コイル部の上方コイル端が端子Ａに接続され、第１コイル部の下方コイル端と第２コイル部の上方コイル端とが接続され、第２コイル部の下方コイル端と第５コイル部の上方コイル端とが接続され、第５コイル部の下方コイル端と第６コイル部の上方コイル端とが接続され、第６コイル部の下方コイル端が端子Ｂに接続されている。第１コイル部・第２コイル部・第５コイル部・第６コイル部の巻線方向は同じである。第１コイル部と第２コイル部は実質的に区分のない一連のコイルを構成している。第５コイル部と第６コイル部は実質的に区分のない一連のコイルを構成している。
【００１９】
＝＝＝請求項７の発明＝＝＝
請求項１〜６のいずれかに記載のシートトランスにおいて、第２コイル部と第５コイル部との接続部分が中間タップ端子Ｃに接続されているもの。
【００２０】
＝＝＝請求項８の発明＝＝＝
請求項１〜７のいずれかに記載のシートトランスにおいて、第３コイル部と第４コイル部の接続部分が中間タップ端子Ｆに接続されているもの。
【００２１】
【発明の実施の形態】
この発明にかかるスイッチング電源用のシートトランスの基本構造は、従来の技術の欄において図２と図３を用いて説明した内容と同じである。ただし、これらの図には従来技術と本発明の相違点は表現されていない。本発明の特徴部分について以下のように説明する。
【００２２】
＝＝＝図６の実施例＝＝＝
請求項１の発明を図解したのが図６である。これには請求項７と８の特徴事項も併記している。この実施例においては、巻線積層体２は、上から順に第１コイル部２１・第２コイル部２２・第３コイル部２３・第４コイル部２４・第５コイル部２５・第６コイル部２６の６つのグループに区分される。１つのグループに属する複数枚の巻線セグメントシート１の各巻線パターン４は一連のコイルを構成するように相互接続されており、グループ内の最上部のシート１に上方コイル端があり、最下部のシート１に下方コイル端がある。
【００２３】
第１コイル部２１の上方コイル端が端子Ａに接続され、第１コイル部２１の下方コイル端と第５コイル部２５の下方コイル端とが接続され、第５コイル部２５の上方コイル端と第２コイル部２２の下方コイル端とが接続され、第２コイル部２２の上方コイル端と第６コイル部２６の上方コイル端とが接続され、第６コイル部２６の下方コイル端が端子Ｂに接続されている。第１コイル部２１と第６コイル部２６の巻線方向は同じであり、第２コイル部２２と第５コイル部２５の巻線方向は前記と反対になっている。また必要に応じて、第２コイル部２２と第５コイル部２５との接続部分が中間タップ端子Ｃに接続される。以上が１次巻線の構造である。
【００２４】
２次巻線の構造はつぎのようになっている。第３コイル部２３の下方コイル端が端子Ｄに接続され、第３コイル部２３の上方コイル端と第４コイル部２４の下方コイル端とが接続され、第４コイル部２４の上方コイル端が端子Ｅに接続されている。第３コイル部２３と第４コイル部２４の巻線方向は同じである。また必要に応じて、第３コイル部２３と第４コイル部２４との接続部分が中間タップ端子Ｆに接続される。
【００２５】
以上のように構成されたシートトランスにおける１次巻線と２次巻線との間の浮遊容量について検討する。１次側の第２コイル部２２の最下部シート１と２次側の第３コイル部２３の最上部シート１とが対向しており、この間に大きな静電容量が発生する。同様に、２次側の第４コイル部２４の最下部シート１と１次側の第５コイル部２５の最上部シート１とが対向しており、この間に大きな静電容量が発生する。
【００２６】
ここで、この発明のシートトランスを図１に示した４つの回路方式のスイッチング電源に適用した場合を検討する。大きな静電容量を生じる第２コイル部２２の最下部シート１と２次側の第３コイル部２３の最上部シート１との間、それに２次側の第４コイル部２４の最下部シート１と１次側の第５コイル部２５の最上部シート１との間は、図１の回路においては、トランスＴの１次巻線Ｌ１の中間タップ端子Ｃの部分と２次巻線Ｌ２の中間タップ端子Ｆの部分の間に相当する。図１の回路から明らかなように、スイッチング電源としての動作中においても、中間タップ端子Ｃに近い巻線部分と中間タップ端子Ｆに近い巻線部分との間の電圧変動はごく小さく、両部分の電位はきわめて安定している。このように両部分間に大きな浮遊容量が存在しても、両部分間の電圧変動はきわめて小さいので、１次側から２次側に浮遊容量を介して伝達される高周波ノイズのレベルもきわめて小さくなる。これが本発明の顕著な効果の１つである。
【００２７】
本発明のもう１つの効果は漏れ磁束の低減である。図６の巻線構造のシートトランスを図１（ｄ）のスイッチング電源に適用した場合を想定する。コア３の巻軸６において、１次巻線Ｌ１は、第１コイル部２１および第２コイル部２２の積層体領域Ｘと、第５コイル部２５および第６コイル部２６の積層体領域Ｚとに幾何学的に分割されており、その分割された間に第３コイル部２３および第４コイル部２４の２次巻線Ｌ２の積層体領域Ｙが挟み込まれている。このスイッチング電源の動作に伴うコア巻軸６上の磁位の発生状況を図７（ａ）に模式的に示している。１次巻線Ｌ１に流れる入力電流による磁界は積層体領域ＸとＺの２つの領域に分れて発生し、これらの磁界を相殺するように積層体領域Ｙに出力電流による磁界が発生する。そのため、コア巻軸６上の磁位ピーク値は図４の巻線構造の従来のトランスと比較してはるかに小さくなり、その分だけ漏れ磁束が小さくなる。いろいろな条件が同じであるとすると、従来のトランスを用いた場合の磁位ピーク値に対して本発明のトランスを用いた場合の磁位ピーク値は、図５（ａ）と図７（ａ）に示しているように約半分になる。したがって漏れ磁束の低減効果も顕著である。
【００２８】
図１（ａ）（ｂ）の回路方式のように１次巻線Ｌ１の中間タップ端子Ｃを使用するタイプのスイッチング電源の場合、図７（ｂ）に示すように、端子ＡＣ間に入力電流が流れるとき、入力電流による磁界は第１コイル部２１の領域と第５コイル部２５の領域とに分れて発生し、端子ＢＣ間に入力電流が流れるとき、入力電流による磁界は第２コイル部２２の領域と第６コイル部２６の領域とに分れて発生する。したがって、いずれの動作時点でも、コア巻軸部６上における磁位ピーク値は図５（ｂ）の従来技術の約半分と小さくなり、その分だけ漏れ磁束が小さくなる。
【００２９】
＝＝＝その他の実施例＝＝＝
図６に示した巻線構造が本発明の最良の実施例である。この実施例に比べると効果の面で少し劣るが、次善あるいは次々善の実施例としてつぎのような巻線構造を採用してもよい。
【００３０】
図８に示す実施例は図６の実施例とつぎの点が異なる。第１コイル部２１の上方コイル端が端子Ａに接続され、第１コイル部２２の下方コイル端と第５コイル部２５の上方コイル端とが接続され、第５コイル部２５の下方コイル端と第２コイル部２２の上方コイル端とが接続され、第２コイル部２２の下方コイル端と第６コイル部２６の上方コイル端とが接続され、第６コイル部２６の下方コイル端が端子Ｂに接続されている。第１コイル部２１・第２コイル部２２・第５コイル部２５・第６コイル部２６の巻線方向は同じである。
【００３１】
図９に示す実施例は図６の実施例とつぎの点が異なる。第３コイル部２３の上方コイル端が端子Ｄに接続され、第３コイル部２３の下方コイル端と第４コイル部２４の上方コイル端とが接続され、第４コイル部２４の下方コイル端が端子Ｅに接続されている。第３コイル部２３と第４コイル部２４の巻線方向は同じであり、両者は実質的に区分のない一連のコイルを構成している。なお、図８の構成と図９の構成を組み合わせた実施例もある得る。
【００３２】
ここまで説明したいくつかの実施例において、端子Ａが第１コイル部２１の下方コイル端に接続され、これの上方コイル端が他のコイル部に接続されている形態や、端子Ｂが第６コイル部２６の上方コイル端に接続され、これの下方コイル端が他のコイル部に接続されている形態も採り得る。
【００３３】
図１０に示す実施例は図６の実施例とつぎの点が異なる。第１コイル部２１の上方コイル端が端子Ａに接続され、第１コイル部２１の下方コイル端と第２コイル部２２の上方コイル端とが接続され、第２コイル部２２の下方コイル端と第５コイル部２５の上方コイル端とが接続され、第５コイル部２５の下方コイル端と第６コイル部２６の上方コイル端とが接続され、第６コイル部２６の下方コイル端が端子Ｂに接続されている。第１コイル部２１・第２コイル部２２・第５コイル部２５・第６コイル部２６の巻線方向は同じである。第１コイル部２１と第２コイル部２２は実質的に区分のない一連のコイルを構成している。第５コイル部２５と第６コイル部２６は実質的に区分のない一連のコイルを構成している。
【００３４】
【発明の効果】
この発明にかかるシートトランスを用いてスイッチング電源（ＤＣ−ＤＣコンバータ）を構成すれば、トランスの漏れ磁束が従来より少なくなり、高効率の電源装置を実現することができる。また、トランスの１次巻線と２次巻線の間の浮遊容量を伝わる高周波ノイズのレベルが従来より大幅に低減され、低ノイズの電源装置を実現することができる。なお、この明細書で使用している１次側、２次側は説明を判り易くするために定義しているものであり、逆にして使用しても同様の機能は得られ権利範囲としても適用されるものとする。
【図面の簡単な説明】
【図１】この発明の対象となるスイッチング電源の４つの回路方式を示す図である。
【図２】この発明の対象となるシートトランスの基本構造を示す分解斜視図である。
【図３】この発明の対象となるシートトランスの基本構造を示す斜視図である。
【図４】従来のシートトランスの巻線構造を示す模式図である。
【図５】同上従来のシートトランスをスイッチング電源に適用した場合のトランスの作用説明図である。
【図６】この発明の第１実施例によるシートトランスの巻線構造を示す模式図である。
【図７】同上実施例のシートトランスをスイッチング電源に適用した場合のトランスの作用説明図である。
【図８】この発明の第２実施例によるシートトランスの巻線構造を示す模式図である。
【図９】この発明の第３実施例によるシートトランスの巻線構造を示す模式図である。
【図１０】この発明の第４実施例によるシートトランスの巻線構造を示す模式図である。
【符号の説明】
１  巻線セグメントシート
２  巻線積層体
３  コア
４  巻線パターン
５  貫通穴
６  巻軸部
２１  第１コイル部
２２  第２コイル部
２３  第３コイル部
２４  第４コイル部
２５  第５コイル部
２６  第６コイル部
Ｔ  トランス
Ｌ１  １次巻線
Ｌ２  ２次巻線
【図１】
0004365913.tif 000002
【図２】
0004365913.tif 000003
【図３】
0004365913.tif 000004
【図４】
0004365913.tif 000005
【図５】
0004365913.tif 000006
【図６】
0004365913.tif 000007
【図７】
0004365913.tif 000008
【図８】
0004365913.tif 000009
【図９】
0004365913.tif 000010
【図１０】
0004365913.tif 000011